(57)【特許請求の範囲】
【請求項１】
把持部の把持操作により、一対の挟持部が相対的に開閉されて物干し竿等の引っ掛け部材を挟持可能とするフック部と、
前記把持部の各基端部において回動自在に接合された一対の腕部と、
当該腕部の途上において両腕部の間に橋架され、下方への引っ張り操作により上側に屈曲する架橋部とを備え、
前記架橋部の屈曲により前記把持部に把持力を付与することで、前記挟持部を開放可能とすることを特徴とする衣料用ハンガー。
【請求項２】
前記挟持部の何れか一方の上端に、前記挟持部の押し開き操作を可能とする延出押部を設けたことを特徴とする請求項１に記載の衣料用ハンガー。
【発明の詳細な説明】
【技術分野】
【０００１】
本発明は、衣類等の干し物を乾燥させる際、物干し竿等に吊着して使用する衣料用ハンガーに関するものである。
【背景技術】
【０００２】
従来より、フック部と、このフック部の基端部に連結された左右一対の腕部を備えるハンガー本体とで成るハンガーが知られており、このような衣料用ハンガーは、例えば、特許文献１、特許文献２に開示されている。
【０００３】
特許文献１に記載のハンガーは、側方に開口部を有する鉤状のフック部を有し、特許文献２に記載のハンガーは、脚部を把握することにより一対の挟持部が相対的に開閉して物干し竿などを挟持するように形成されたフック部を有している。
【０００４】
ところで、特許文献１に記載のフック部は、単純な鉤状であるから、物干し竿等に簡単に吊着することができ、便利であるが、吊着したフック部は物干し竿に直接固定されていないため、強風等で干し物が煽られるとハンガーが物干し竿から脱落し易いという欠点がある。ハンガーが落下すると干し物を汚してしまう虞がある。
他方、特許文献２のフック部は、一対の挟持部にて物干し竿を挟持するため、上述のような強風等によるハンガーの脱落は防止できるが、反面、ハンガーの着脱に際し、把持部の把持操作が必要であるため、多数の干し物がある場合等は、干し物の吊着と取り込みに手間が掛かり、使い勝手が悪かった。
【特許文献１】実開昭６２−１８５５７７号公報
【特許文献２】特開２００１−３３４０９９号公報
【発明の開示】
【発明が解決しようとする課題】
【０００５】
本発明は、上記事情に鑑み成されたもので、強風等による物干し竿等からの脱落を防止でき、且つ、物干し竿等への着脱も容易に行える使い勝手の良い衣料用ハンガーを提供することを目的としている。
【課題を解決するための手段】
【０００６】
すなわち、請求項１に記載の本発明は、把持部の把持操作により、一対の挟持部が相対的に開閉されて物干し竿等の引っ掛け部材を挟持可能とするフック部と、前記把持部の各基端部において回動自在に接合された一対の腕部と、当該腕部の途上において両腕部の間に橋架され、下方への引っ張り操作により上側に屈曲する架橋部とを備え、前記架橋部の屈曲により前記把持部に把持力を付与することで、前記挟持部を開放可能とすることを特徴としている。
【０００７】
また、請求項２に記載の本発明は、請求項１に記載の衣料用ハンガーにおいて、前記挟持部の何れか一方の上端に、前記挟持部の押し開き操作を可能とする延出押部を設けたことを特徴としている。
【発明の効果】
【０００８】
請求項１に記載の発明によれば、引っ掛け部材に吊着された衣料用ハンガーを取り外す時は、把持部を把持操作することなく、架橋部に指を引っかけて下方に引っ張るだけの簡単操作でフック部を開放することができるため、衣料用ハンガーの取り外しは極めて簡単であり、干し物を素早く取り込むことができる。
【０００９】
また、請求項２に記載の発明によれば、引っ掛け部材に衣料用ハンガーを吊着する時、把持部を把持操作することなく、延出押部を設けた側の腕部を片手で掴んで延出押部の内側を引っ掛け部材に押し当てることでフック部を開放することができるため、衣料用ハンガーの吊着は極めて簡単に行える。
【発明を実施するための最良の形態】
【００１０】
以下、図１〜図６に基づいて本発明に係る衣料用ハンガーの実施形態を説明する。
【００１１】
図１、図２は本発明の第１実施形態による衣料用ハンガー（以下、単にハンガーという）の構成を示している。
本実施形態によるハンガーは、物干し竿等の引っ掛け部材３０に吊着されるフック部１０と、このフック部１０の基端部に接合された左右一対の腕部１１、１１を備えたハンガー本体２０とで概略構成されている。尚、フック部１０とハンガー本体２０は共に合成樹脂で構成されている。
【００１２】
上記フック部１０は、第１フック本体１と第２フック本体２の一対のフック本体の組み合わせにて構成され、第１フック本体１は、上部に引っ掛け部材３０に対して側方から着脱自在に掛止可能な腕状開口部９を有するフの字形の第１挟持部１ａを備え、第２フック本体２は、上部に第１挟持部１ａの開口部９を閉止する第２挟持部２ａを備え、また、これら第１挟持部１ａおよび第２挟持部２ａのそれぞれの下部には、フック部１０の開閉操作を行うための把持部１ｂと把持部２ｂが一体的に形成されている。
これら、把持部１ｂ、２ｂの操作面は、把持し易いように表面凸凹状と成されている。
【００１３】
そして、第１フック本体１と第２フック本体２は、把持部１ｂ、２ｂの先端部において連結部３により揺動自在に枢着・連結されており、さらに、この連結部３の枢軸４には、付勢手段としてのコイルバネ５が嵌着されていると共に、コイルバネ５の各先端部分がそれぞれ対応する各把持部１ｂ、２ｂの内壁に当接させられており、これにより、このコイルバネ５の弾性付勢力で第１フック本体１と第２フック本体２が常時閉止状態に付勢されるようになっている。
【００１４】
また、第１フック本体１および第２フック本体２は何れも断面コの字形の樹脂フレームにて構成されており、且つ、第２挟持部２ａの先端部において、コの字部分の内側より開口部９側に突出する凸部７が形成されており、フック部１０が閉止状態と成された時、この凸部７が対向する第１挟持部１ａのコの字部分に嵌合して、フック部１０の枢軸４方向の捩れ現象が防止されるように構成されている。
【００１５】
そして、本実施形態では、この第１挟持部１ａの上端部に、内側の押圧面６ａを扁平に形成した延出押部６が起立状態に突設されており、この延出押部６の押圧面６ａを直行方向に押圧することにより、フック部１０の押し開きが可能となるように構成されている。
【００１６】
他方、ハンガー本体２０は、斜め下方に向けて設けた左右一対の枠状腕部１１、１１を備え、これら一対の腕部１１、１１のそれぞれ上端部と第１把持部１ｂ、第２把持部２ｂのそれぞれ下端部同士が接合部１２においてヒンジ機構により上下回動自在に接合されている。このヒンジ機構は、把持部１ｂ、２ｂのそれぞれ下端部に設けた軸孔１２ａに各腕部１１の上端部に設けた連結軸１２ｂが回動可能に連結されることによって構成されている。
【００１７】
また、左右の腕部１１、１１は、接合部１２の近傍において架橋部１３により連結されており、且つ、その中間部分に設けたヒンジ部１４により、この架橋部１３は下方への引っ張り操作で上側にＶ字状に屈曲されるように構成されている。
上記ヒンジ部１４は、架橋部１３の片側に設けた軸孔１４ａに他方側に設けた連結軸１４ｂが回動自在に連結されることにより構成されており、また、このヒンジ部１４にストッパ機構（図示せず）を設け、架橋部１３が下方向へ逆Ｖ字状に屈曲されることを防止することで、両腕部１１、１１が一定の傾斜角度で保持されるように成されている。
【００１８】
架橋部１３の引っ張り操作により、架橋部１３の中央部をＶ字状に屈曲させ、左右腕部１１の先端部より接合部１２、１２に内方向の押し付け力を加えることにより、すなわち、把持部１ｂ、２ｂに把持力を加えることにより、フック部１０の開放を可能としている。
【００１９】
また、腕部１１には、衣類の紐部分（例えば、オーバーオールの肩紐やスカートのウエストストラップ等）を引っ掛けて吊り下げできる引掛部１５、１６等が一体形成されている。
【００２０】
上記構成によるハンガーの使用において、図３には、フック部１０の両把持部１ｂ、２ｂを片手で把持操作してフック部１０を開放するすることにより、ハンガーを引っ掛け部材３０に吊着する従来操作が示されているが、本実施形態のハンガーは、この他、両把持部１ｂ、２ｂを把持操作せず、図４に示すように、延出押部６を設けた挟持部１ａ側の腕部１１の端部を片手で掴んで延出押部６の押圧面６ａを引っ掛け部材３０の側部に押し当てることにより、引っ掛け部材３０の真下においてフック部１０を開放させることができる。その状態で、延出押部６の押圧面６ａに案内されるようにしてハンガーを少々持ち上げれば、ハンガーを引っ掛け部材３０に吊着させることができ、よって、干し物が多数あっても、吊着に手間取ることはない。
【００２１】
加えて、引っ掛け部材３０に吊着されたハンガーは、一対の挟持部１ａ、２ａにて引っ掛け部材３０をしっかり挟持しているため、強風等によって干し物が煽られても、ハンガーは引っ掛け部材３０から脱落する虞はない。
また、この状態において、第２挟持部２ａの先端部に設けた凸部７が対向する第１挟持部１ａのコの字部分に嵌合し、干し物が煽られること等に起因するフック部１０の捩れが防止されるため、フック部１０の耐久性が向上し、長期使用が可能となる。
【００２２】
また、引っ掛け部材３０からハンガーを取り外す場合は、図３に示す従来操作のように、把持部１ｂ、２ｂを把持操作してフック部１０を開放する方法の他、図５に示すように、ハンガー本体２０の架橋部１３に指を引っ掛けて下方に引っ張るだけの操作でフック部１０が開放されるため、ハンガーの取り外しは極めて簡単に行える。よって、引っ掛け部材３０に干し物が多数吊着されていても、これらを簡単操作にて手早く取り込むことができるため、極めて使い勝手の良いハンガーとなる。
【００２３】
次に、図６は本発明の第２実施形態によるハンガーを示している。本実施形態のハンガーは、左右の腕部１１の下端部に底辺部１７を一体成形してハンガー本体２０を三角形状の枠体としているが、フック部１０の構造は図１と同様である。
【００２４】
そして、本実施形態では、上述した架橋部１３を弾性変形可能な部材、例えば、合成樹脂製の薄板等にて構成し、上記同様に、架橋部１３を下方への引っ張ることにより、この架橋部１３を上側に向けてＵ字状に屈曲させるように構成している。本構成では、ヒンジ部１４が不要となり、ハンガー本体２０の構造を簡略化できるというメリットがある。
【図面の簡単な説明】
【００２５】
【図１】本発明の第１実施形態による衣料用ハンガーを示す正面図。
【図２】本発明の第１実施形態による衣料用ハンガーを示す斜視図。
【図３】本発明の第１実施形態による衣料用ハンガーの引っ掛け部材への取り付け操作を示す斜視図。
【図４】本発明の第１実施形態による衣料用ハンガーの引っ掛け部材への図３とは別の取り付け操作を示す斜視図。
【図５】本発明の第１実施形態による衣料用ハンガーの引っ掛け部材からの取り外し操作を示す斜視図。
【図６】本発明の第２実施形態による衣料用ハンガーを示す正面図。
【符号の説明】
【００２６】
１ｂ、２ｂ  把持部
１ａ、２ａ  挟持部
６  延出押部
１０  フック部
１１  腕部
１３  架橋部
３０  引っ掛け部材（物干し竿）
【図１】
0004556914.tif 000002
【図２】
0004556914.tif 000003
【図３】
0004556914.tif 000004
【図４】
0004556914.tif 000005
【図５】
0004556914.tif 000006
【図６】
0004556914.tif 000007